(57)【要約】  開示するか否かを判断した上で、位置情報などの特定の情報を提供する。  特定情報送信サーバーは、位置情報と、位置情報の開示を要求する開示要求者の識別情報と、位置情報を開示することを承認する許可者の識別情報の関係を示す開示条件データベースを備える。開示要求者の識別情報でログインした端末から位置情報の開示の要求を受ける通信部を備える。通信部は、要求を受けた場合に、開示条件データベースに基づいて、許可者の識別情報に対応するメールアドレスに承認依頼メッセージを送信するものであり、承認依頼メッセージの送信から所定の時間が経過するまでの間に、通信部が要求を承諾する旨の信号を受信した場合に、通信部が位置情報を、開示要求者の識別情報に対応するメールアドレスに送信する。特定の情報のコンテンツの送信を行うことが決定される前に記録されたものが、開示要求者の識別情報に対応するメールアドレスへの送信に使用される。【選択図】図１４
2016140047.tif 000002
【特許請求の範囲】
【請求項１】
被開示要求者に関する特定の情報と、前記特定の情報の開示を要求する開示要求者の識別情報と、前記特定の情報を開示することを承認する許可者の識別情報の関係を示す開示条件データベースと、
前記開示要求者の識別情報でログインした端末から、若しくは前記開示要求者の識別情報に対応する端末から前記特定の情報の開示の要求を受ける通信部とを備えた特定情報送信サーバーであって、
前記通信部は、前記要求を受けた場合に、前記開示条件データベースに基づいて、前記許可者の識別情報に対応する携帯電話番号若しくはメールアドレス若しくはアカウントに承認依頼メッセージを送信するものであり、
前記承認依頼メッセージの送信から所定の時間が経過するまでの間に、前記通信部が前記要求を承諾する旨の信号を受信した場合、若しくは前記通信部が前記要求を拒否する旨の信号を受信しなかった場合に、前記通信部が前記特定の情報のコンテンツを、前記開示要求者の識別情報に対応する携帯電話番号若しくはメールアドレス若しくはアカウントに送信するものであり、
前記特定の情報のコンテンツであって、前記特定の情報のコンテンツの送信を行うことが決定される前に前記特定情報送信サーバー若しくは前記特定情報送信サーバーと通信可能な装置に記録されたものが、前記開示要求者の識別情報に対応する携帯電話番号若しくはメールアドレス若しくはアカウントへの送信に使用されることを特徴とする特定情報送信サーバー。
【請求項２】
前記通信部は、前記開示条件データベースに記録された前記特定の情報の中で、前記開示要求者の識別情報でログインした端末で、若しくは前記開示要求者の識別情報に対応する端末で、前記要求を行うことが出来るもののリストを、前記開示要求者の識別情報でログインした端末に、若しくは前記開示要求者の識別情報に対応する端末に表示させるための信号を送信することを特徴とする請求項１に記載の特定情報送信サーバー。
【請求項３】
識別情報の入力を促すログインメニューを表示させる所定のＵＲＬにアクセスし、前記開示要求者の識別情報でログインした端末が、前記開示要求者の識別情報でログインした端末として用いられ、
情報端末に含まれるＳＩＭカード、若しくは情報端末本体に固有の情報と、前記開示要求者の識別情報との対応関係が予め登録され、前記固有の情報を有するＳＩＭカードを含む情報端末若しくは前記固有の情報を有する情報端末が、前記開示要求者の識別情報に対応する端末として用いられることを特徴とする請求項２に記載の特定情報送信サーバー。
【請求項４】
前記承認依頼メッセージは、クリックすることにより前記通信部に前記要求を承諾する旨の信号を送信する第１ハイパーリンクと、クリックすることにより前記通信部に前記要求を拒否する旨の信号を送信する第２ハイパーリンクの少なくとも一方を含むことを特徴とする請求項１に記載の特定情報送信サーバー。
【請求項５】
前記特定の情報は、前記許可者と別の者である前記被開示要求者の携帯電話の位置情報であり、
前記位置情報は、前記携帯電話の識別情報と一緒に、基地局、交換機、ＶＬＲ若しくはＨＬＲから前記特定情報送信サーバーに送られてくるものであり、
前記携帯電話の使用者の識別情報でログインした端末で、若しくは、前記使用者の識別番号に対応する端末で、前記開示条件データベースにおける開示要求者の識別情報と前記許可者の識別情報とが設定されることを特徴とする請求項１に記載の特定情報送信サーバー。
【請求項６】
第１携帯電話と、
第２携帯電話の位置情報と、前記第２携帯電話の位置情報の開示を要求する開示要求者の識別情報と、前記第２携帯電話の位置情報を開示することを承認する許可者の識別情報の関係を示す開示条件データベースと、前記開示要求者の識別情報に対応する前記第１携帯電話から前記第２携帯電話の位置情報の開示の要求を受ける通信部とを有する位置情報送信サーバーとを備え、
前記第１携帯電話から、前記第２携帯電話へ、指定した時間内に指定した回数だけ発呼を行っても応答が得られない場合に、前記第１携帯電話は、前記通信部へ前記位置情報の開示の要求を発信するものであり、
前記通信部は、前記第１携帯電話から前記要求を受けた場合に、前記開示条件データベースに基づいて、前記許可者の識別情報に対応する携帯電話番号若しくはメールアドレス若しくはアカウントに承認依頼メッセージを送信するものであり、
前記承認依頼メッセージの送信から所定の時間が経過するまでの間に、前記通信部が前記要求を承諾する旨の信号を受信した場合、若しくは前記通信部が前記要求を拒否する旨の信号を受信しなかった場合に、前記通信部が前記第２携帯電話の位置情報を、前記開示要求者の識別情報に対応する携帯電話番号若しくはメールアドレス若しくはアカウントに送信するものであり、
前記第２携帯電話の位置情報であって、前記第２携帯電話の位置情報の送信を行うことが決定される前に前記位置情報送信サーバー若しくは前記特定情報送信サーバーと通信可能な装置に記録されたものが、前記開示要求者の識別情報に対応する携帯電話番号若しくはメールアドレス若しくはアカウントへの送信に使用されることを特徴とする位置情報送信システム。
【請求項７】
被開示要求者に関する特定の情報と、前記特定の情報の開示を要求する開示要求者の識別情報と、前記特定の情報を開示することを承認する許可者であって前記被開示要求者と別の者の識別情報の関係を示す開示条件データベースと、
前記開示要求者の識別情報でログインした端末から、若しくは前記開示要求者の識別情報に対応する端末から前記特定の情報の開示の要求を受ける通信部とを備えた特定情報送信サーバーであって、
前記通信部は、前記要求を受けた場合に、前記開示条件データベースに基づいて、前記許可者の識別情報に対応する携帯電話番号にＳＭＳで承認依頼メッセージを送信するものであり、
前記承認依頼メッセージの送信から所定の時間が経過するまでの間に、前記通信部が前記要求を承諾する旨の返信を受信した場合、若しくは前記通信部が前記要求を拒否する旨の返信を受信しなかった場合に、前記通信部が前記特定の情報のコンテンツを、前記開示要求者の識別情報に対応する携帯電話番号若しくはメールアドレス若しくはアカウントに送信するものであり、
前記特定の情報のコンテンツであって、前記特定の情報のコンテンツの送信を行うことが決定される前に前記特定情報送信サーバー若しくは前記特定情報送信サーバーと通信可能な装置に記録されたものが、前記開示要求者の識別情報に対応する携帯電話番号若しくはメールアドレス若しくはアカウントへの送信に使用されることを特徴とする特定情報送信サーバー。
【請求項８】
前記承認依頼メッセージの送信が行われた時は、前記承認依頼メッセージに対する返信を受信するまでは、前記承認依頼メッセージの送信先と同じ携帯電話番号に対して、別の承認依頼メッセージの送信は行われないことを特徴とする請求項７に記載の特定情報送信サーバー。
【請求項９】
被開示要求者に関する特定の情報と、前記特定の情報の開示を要求する開示要求者の識別情報と、前記特定の情報を開示することを承認する許可者であって前記被開示要求者と別の者の識別情報の関係を示す開示条件データベースと、
前記開示要求者の識別情報でログインした端末から、若しくは前記開示要求者の識別情報に対応する端末から前記特定の情報の開示の要求を受ける通信部とを備えた特定情報送信サーバーであって、
前記通信部は、前記要求を受けた場合に、前記開示条件データベースに基づいて、前記許可者の識別情報に対応する携帯電話番号にＳＭＳで承認依頼メッセージを送信するものであり、
前記承認依頼メッセージの送信から所定の時間が経過するまでの間に、前記通信部が前記承認依頼メッセージに対する返信を受信した場合に、前記通信部が前記特定の情報のコンテンツを開示しない旨を、前記開示要求者の識別情報に対応する携帯電話番号若しくはメールアドレス若しくはアカウントに送信し、
前記承認依頼メッセージの送信から所定の時間が経過するまでの間に、前記通信部が前記返信を受信しなかった場合に、前記通信部が前記特定の情報のコンテンツを、前記開示要求者の識別情報に対応する携帯電話番号若しくはメールアドレス若しくはアカウントに送信するものであり、
前記特定の情報のコンテンツであって、前記特定の情報のコンテンツの送信を行うことが決定される前に前記特定情報送信サーバー若しくは前記特定情報送信サーバーと通信可能な装置に記録されたものが、前記開示要求者の識別情報に対応する携帯電話番号若しくはメールアドレス若しくはアカウントへの送信に使用されることを特徴とする特定情報送信サーバー。
【請求項１０】
被開示要求者に関する特定の情報と、前記特定の情報の開示を要求する開示要求者の識別情報と、特定の装置の識別情報の関係を示す開示条件データベースと、
前記特定の装置と通信可能であり、前記開示要求者の識別情報でログインした端末から、若しくは前記開示要求者の識別情報に対応する端末から前記特定の情報の開示の要求を受ける通信部とを備えた特定情報送信サーバーであって、
前記通信部は、前記要求を受けた場合に、前記開示条件データベースに基づいて、前記特定の装置にアクセスし、
前記特定の装置へアクセスして得られた情報に基づいて、前記通信部が前記特定の情報のコンテンツを、前記開示要求者の識別情報に対応する携帯電話番号若しくはメールアドレス若しくはアカウントに送信するものであり、
前記特定の情報のコンテンツであって、前記特定の情報のコンテンツの送信を行うことが決定される前に前記特定情報送信サーバー若しくは前記特定情報送信サーバーと通信可能な装置に記録されたものが、前記開示要求者の識別情報に対応する携帯電話番号若しくはメールアドレス若しくはアカウントへの送信に使用されるか否かが決定されることを特徴とする特定情報送信サーバー。
【発明の詳細な説明】
【技術分野】
【０００１】
本発明は、特定の情報を送信するサーバーなどに関する。
【背景技術】
【０００２】
特許文献１などで、位置情報を携帯電話などの情報端末に提供する位置情報送信システムが提案されている。
【先行技術文献】
【特許文献】
【０００３】
【特許文献１】特開２００９−１６５０９１号公報
【発明の概要】
【発明が解決しようとする課題】
【０００４】
しかしながら、位置情報送信システムでは、予め設定した相手先には必ず位置情報が送信されることになるが、位置情報などの機密情報は、予め設定した相手先であっても開示されることが適当でないタイミングもあり得る。【０００５】
したがって本発明の目的は、開示するか否かを判断した上で、位置情報などの特定の情報を提供するサーバーなどを提供することである。
【課題を解決するための手段】
【０００６】
本発明に係る特定情報送信サーバーは、被開示要求者に関する特定の情報と、特定の情報の開示を要求する開示要求者の識別情報と、特定の情報を開示することを承認する許可者の識別情報の関係を示す開示条件データベースと、開示要求者の識別情報でログインした端末から、若しくは開示要求者の識別情報に対応する端末から特定の情報の開示の要求を受ける通信部とを備えたものであって、通信部は、要求を受けた場合に、開示条件データベースに基づいて、許可者の識別情報に対応する携帯電話番号若しくはメールアドレス若しくはアカウントに承認依頼メッセージを送信するものであり、承認依頼メッセージの送信から所定の時間が経過するまでの間に、通信部が要求を承諾する旨の信号を受信した場合、若しくは通信部が要求を拒否する旨の信号を受信しなかった場合に、通信部が特定の情報のコンテンツを、開示要求者の識別情報に対応する携帯電話番号若しくはメールアドレス若しくはアカウントに送信するものであり、特定の情報のコンテンツであって、特定の情報のコンテンツの送信を行うことが決定される前に特定情報送信サーバー若しくは特定情報送信サーバーと通信可能な装置に記録されたものが、開示要求者の識別情報に対応する携帯電話番号若しくはメールアドレス若しくはアカウントへの送信に使用される。【０００７】
これにより、位置情報などの特定の情報に対応する携帯電話の使用者が情報コンテンツを開示するか否かを決定することが出来ない状況下でも、第三者（許可者）の判断により、開示要求者に当該情報コンテンツ（位置情報）を開示するか否かを決定し、承認後に当該情報コンテンツを開示要求者に提供することが可能になる。
また、特定の情報は、予め、特定情報送信サーバー内の特定情報データベースに記録されているため、開示の許可が決定した後に特定の情報を取得出来ない状態でも、当該特定の情報を開示要求者に開示することが可能になる。【０００８】
好ましくは、通信部は、開示条件データベースに記録された特定の情報の中で、開示要求者の識別情報でログインした端末で、若しくは開示要求者の識別情報に対応する端末で、要求を行うことが出来るもののリストを、開示要求者の識別情報でログインした端末に、若しくは開示要求者の識別情報に対応する端末に表示させるための信号を送信する。【０００９】
さらに好ましくは、識別情報の入力を促すログインメニューを表示させる所定のＵＲＬにアクセスし、開示要求者の識別情報でログインした端末が、開示要求者の識別情報でログインした端末として用いられ、情報端末に含まれるＳＩＭカード、若しくは情報端末本体に固有の情報と、開示要求者の識別情報との対応関係が予め登録され、固有の情報を有するＳＩＭカードを含む情報端末若しくは固有の情報を有する情報端末が、開示要求者の識別情報に対応する端末として用いられる。【００１０】
また、好ましくは、承認依頼メッセージは、クリックすることにより通信部に要求を承諾する旨の信号を送信する第１ハイパーリンクと、クリックすることにより通信部に要求を拒否する旨の信号を送信する第２ハイパーリンクの少なくとも一方を含む。【００１１】
また、好ましくは、特定の情報は、許可者と別の者である被開示要求者の携帯電話の位置情報であり、位置情報は、携帯電話の識別情報と一緒に、基地局、交換機、ＶＬＲ若しくはＨＬＲから特定情報送信サーバーに送られてくるものであり、携帯電話の使用者の識別情報でログインした端末で、若しくは、使用者の識別番号に対応する端末で、開示条件データベースにおける開示要求者の識別情報と許可者の識別情報とが設定される。【００１２】
本発明に係る位置情報送信システムは、第１携帯電話と、第２携帯電話の位置情報と、第２携帯電話の位置情報の開示を要求する開示要求者の識別情報と、第２携帯電話の位置情報を開示することを承認する許可者の識別情報の関係を示す開示条件データベースと、開示要求者の識別情報に対応する第１携帯電話から第２携帯電話の位置情報の開示の要求を受ける通信部とを有する位置情報送信サーバーとを備え、第１携帯電話から、第２携帯電話へ、指定した時間内に指定した回数だけ発呼を行っても応答が得られない場合に、第１携帯電話は、通信部へ位置情報の開示の要求を発信するものであり、通信部は、第１携帯電話から要求を受けた場合に、開示条件データベースに基づいて、許可者の識別情報に対応する携帯電話番号若しくはメールアドレス若しくはアカウントに承認依頼メッセージを送信するものであり、承認依頼メッセージの送信から所定の時間が経過するまでの間に、通信部が要求を承諾する旨の信号を受信した場合、若しくは通信部が要求を拒否する旨の信号を受信しなかった場合に、通信部が第２携帯電話の位置情報を、開示要求者の識別情報に対応する携帯電話番号若しくはメールアドレス若しくはアカウントに送信するものであり、第２携帯電話の位置情報であって、第２携帯電話の位置情報の送信を行うことが決定される前に位置情報送信サーバー若しくは特定情報送信サーバーと通信可能な装置に記録されたものが、開示要求者の識別情報に対応する携帯電話番号若しくはメールアドレス若しくはアカウントへの送信に使用される。【００１３】
本発明に係る特定情報送信サーバーは、被開示要求者に関する特定の情報と、特定の情報の開示を要求する開示要求者の識別情報と、特定の情報を開示することを承認する許可者であって被開示要求者と別の者の識別情報の関係を示す開示条件データベースと、開示要求者の識別情報でログインした端末から、若しくは開示要求者の識別情報に対応する端末から特定の情報の開示の要求を受ける通信部とを備えたものであって、通信部は、要求を受けた場合に、開示条件データベースに基づいて、許可者の識別情報に対応する携帯電話番号にＳＭＳで承認依頼メッセージを送信するものであり、承認依頼メッセージの送信から所定の時間が経過するまでの間に、通信部が要求を承諾する旨の返信を受信した場合、若しくは通信部が要求を拒否する旨の返信を受信しなかった場合に、通信部が特定の情報のコンテンツを、開示要求者の識別情報に対応する携帯電話番号若しくはメールアドレス若しくはアカウントに送信するものであり、特定の情報のコンテンツであって、特定の情報のコンテンツの送信を行うことが決定される前に特定情報送信サーバー若しくは特定情報送信サーバーと通信可能な装置に記録されたものが、開示要求者の識別情報に対応する携帯電話番号若しくはメールアドレス若しくはアカウントへの送信に使用される。【００１４】
許可者に対する承認可否連絡については、ＳＭＳを送信手段として用いることにより、プッシュモードなど特別なモード設定を行わずとも、端末が通話可能な状態である限り確実に受信させることが出来る。【００１５】
好ましくは、承認依頼メッセージの送信が行われた時は、承認依頼メッセージに対する返信を受信するまでは、承認依頼メッセージの送信先と同じ携帯電話番号に対して、別の承認依頼メッセージの送信は行われない。【００１６】
本発明に係る特定情報送信サーバーは、被開示要求者に関する特定の情報と、特定の情報の開示を要求する開示要求者の識別情報と、特定の情報を開示することを承認する許可者であって被開示要求者と別の者の識別情報の関係を示す開示条件データベースと、開示要求者の識別情報でログインした端末から、若しくは開示要求者の識別情報に対応する端末から特定の情報の開示の要求を受ける通信部とを備えたものであって、通信部は、要求を受けた場合に、開示条件データベースに基づいて、許可者の識別情報に対応する携帯電話番号にＳＭＳで承認依頼メッセージを送信するものであり、承認依頼メッセージの送信から所定の時間が経過するまでの間に、通信部が承認依頼メッセージに対する返信を受信した場合に、通信部が特定の情報のコンテンツを開示しない旨を、開示要求者の識別情報に対応する携帯電話番号若しくはメールアドレス若しくはアカウントに送信し、承認依頼メッセージの送信から所定の時間が経過するまでの間に、通信部が返信を受信しなかった場合に、通信部が特定の情報のコンテンツを、開示要求者の識別情報に対応する携帯電話番号若しくはメールアドレス若しくはアカウントに送信するものであり、特定の情報のコンテンツであって、特定の情報のコンテンツの送信を行うことが決定される前に特定情報送信サーバー若しくは特定情報送信サーバーと通信可能な装置に記録されたものが、開示要求者の識別情報に対応する携帯電話番号若しくはメールアドレス若しくはアカウントへの送信に使用される。【００１７】
本発明に係る特定情報送信サーバーは、被開示要求者に関する特定の情報と、特定の情報の開示を要求する開示要求者の識別情報と、特定の装置の識別情報の関係を示す開示条件データベースと、特定の装置と通信可能であり、開示要求者の識別情報でログインした端末から、若しくは開示要求者の識別情報に対応する端末から特定の情報の開示の要求を受ける通信部とを備えたものであって、通信部は、要求を受けた場合に、開示条件データベースに基づいて、特定の装置にアクセスし、特定の装置へアクセスして得られた情報に基づいて、通信部が特定の情報のコンテンツを、開示要求者の識別情報に対応する携帯電話番号若しくはメールアドレス若しくはアカウントに送信するものであり、特定の情報のコンテンツであって、特定の情報のコンテンツの送信を行うことが決定される前に特定情報送信サーバー若しくは特定情報送信サーバーと通信可能な装置に記録されたものが、開示要求者の識別情報に対応する携帯電話番号若しくはメールアドレス若しくはアカウントへの送信に使用されるか否かが決定される。
【発明の効果】
【００１８】
以上のように本発明によれば、開示するか否かを判断した上で、位置情報などの特定の情報を提供するサーバーなどを提供することができる。
【図面の簡単な説明】
【００１９】
【図１】本実施形態における位置情報送信システムの構成図である。
【図２】第１位置情報データベースのコンテンツを示す図である。
【図３】位置情報振り分けサーバーで記録される第１テーブルのコンテンツを示す図である。
【図４】第１サーバーで記録される第２テーブルのコンテンツを示す図である。
【図５】第１サーバーで記録される第３テーブルのコンテンツを示す図である。
【図６】第１サーバーで記録される第２位置情報データベースのコンテンツを示す図である。
【図７】位置情報送信制御手順を示すフローチャートである。
【図８】第１情報データベースのコンテンツを示す図で、高さ情報を含むものを示す。
【図９】開示条件データベースのコンテンツを示す図である。
【図１０】第１サーバーで記録される第４テーブルのコンテンツを示す図である。
【図１１】第１サーバーの通信部が、開示要求者に位置情報を提供する手順を示すフローチャートである。
【図１２】開示要求出来る情報コンテンツのリスト表示例を示す図である。
【図１３】ＵＲＬ表示のハイパーリンクを含む承認依頼メッセージの例を示す図である。
【図１４】ボタン表示のハイパーリンクを含む承認依頼メッセージの例を示す図である。
【図１５】承認依頼メッセージとともに許可者の端末に送信される添付メッセージの例を示す図である。
【図１６】受領確認メッセージの例を示す図である。
【図１７】開示要求者に位置情報を送信する際のメッセージの例を示す図である。
【図１８】開示要求者に位置情報開示が拒否された旨を示すメッセージの例を示す図である。
【図１９】ハイパーリンクを含まない承認依頼メッセージで、承認か拒否の回答を促すものの例を示す図である。
【図２０】ハイパーリンクを含まない承認依頼メッセージで、拒否する場合の返信だけを促すものの例を示す図である。
【図２１】位置情報以外の特定の情報を含み、且つ物を許可者の一つに設定した開示条件データベースのコンテンツを示す図である。
【図２２】許可者承認依頼メッセージの例を示す図である。
【発明を実施するための形態】
【００２０】
以下、本実施形態について、図を用いて説明する。本実施形態における位置情報送信システム１は、無線アクセスネットワーク（RAN：Radio Access Network）１０、コアネットワーク（CN：Core Network）３０、位置情報振り分けサーバーＡ、位置情報提供サーバーＢ（第１サーバーＢ１、第２サーバーＢ２、第３サーバーＢ３）、及び第１１携帯電話２０１〜第１５携帯電話２０５を備える（図１参照）。
【００２１】
無線アクセスネットワーク１０は、携帯電話と対向して無線リンクを形成する第１基地局（BTS：Base Transceiver Station）１０１〜第１２基地局１１２を有する。
コアネットワーク３０は、他の通信キャリアなどの電話網との接続のためのゲートウェイ交換機（GMSC：Gateway Mobile Switching Center）３１、携帯電話番号や当該携帯電話の識別情報（端末の識別番号、ＳＩＭカード（Subscriber Identity Module Card）の識別番号）や位置情報などのユーザー情報を管理するデータベースであるＨＬＲ（Home Location Register）３３、及び携帯電話のルーチング（通信ルートの選定）、呼設定・切断、課金等を行う第１移動交換機（MSC：Mobile Switching Center）３６〜第４移動交換機３９を有する。
【００２２】
なお、位置情報提供サーバーＢや、携帯電話や、基地局や、移動交換機の数は、上記のものに限られない。
【００２３】
第１１携帯電話２０１〜第１５携帯電話２０５は、無線アクセスネットワーク１０、及びコアネットワーク３０を使って、通常の携帯電話で使用される通話などの通信が可能である。この通信には、ゲートウェイ交換機３１を介した、他の通信キャリアや固定電話の電話機との通信（通話）を含む。
【００２４】
例えば、第１１携帯電話２０１と第１２携帯電話２０２との間は、第２基地局１０２、第１移動交換機３６、ゲートウェイ交換機３１、第２移動交換機３７、及び第４基地局１０４を介して通信（通話）が可能な状態にされる。また、同じ移動交換機のエリア内に居る場合には、ゲートウェイ交換機３１を介さないで通信が可能である。例えば、同じ第２移動交換機３７のエリア内に居る第１２携帯電話２０２と第１３携帯電話２０３とは、第４基地局１０４、第２移動交換機３７、及び第６基地局１０６を介して通信が可能である。
【００２５】
第１基地局１０１〜第３基地局１０３は、第１移動交換機３６と接続する。第４基地局１０４〜第６基地局１０６は、第２移動交換機３７と接続する。第７基地局１０７〜第９基地局１０９は、第３移動交換機３８と接続する。第１０基地局１１０〜第１２基地局〜１１２は、第４移動交換機３９と接続する。第１移動交換機３６〜第４移動交換機３９、及びＨＬＲ３３は、ゲートウェイ交換機３１と接続する。
【００２６】
ＨＬＲ３３は、第１移動交換機３６〜第４移動交換機３９それぞれがカバーするエリアごとの位置登録データベースであるＶＬＲ（Visitor Location Register、第１ＶＬＲ３６ａ〜第４ＶＬＲ３９ａ）から第１１携帯電話２０１〜第１５携帯電話２０５の位置情報を取得する。
【００２７】
位置情報を取得するため、位置登録通信（携帯電話がどの基地局のエリアに居るかをコアネットワーク３０に知らせるための、携帯電話と基地局間で常時行われる通信）が実行されると、第１ＶＬＲ３６ａ〜第４ＶＬＲ３９ａ及びＨＬＲ３３の携帯電話ごとの位置情報が更新される。ＨＬＲ３３は、通常の通信の際の着信する（呼び出しする）携帯電話の場所を特定するために使用される。
【００２８】
ただし、第１ＶＬＲ３６ａ〜第４ＶＬＲ３９ａを省略し、第１基地局１０１〜第１２基地局１１２、若しくは、第１移動交換機３６〜第４移動交換機３９から、ＨＬＲ３３に、第１１携帯電話２０１〜第１５携帯電話２０５の位置情報が送られる形態であってもよい。
【００２９】
さらに本実施形態では、第１基地局１０１〜第１２基地局１１２や、ゲートウェイ交換機３１や、第１移動交換機３６〜第４移動交換機３９を介して、第１１携帯電話２０１〜第１５携帯電話２０５の位置情報が位置情報振り分けサーバーＡに送信される。
【００３０】
具体的には、第１１携帯電話２０１〜第１５携帯電話２０５の識別情報（ＩＣＣＩＤ：IC Card Identifier、ただし、ＩＭＳＩ：International Mobile Subscriber Identity、ＩＭＥＩ：International Mobile Equipment Identityなどであってもよい）と、第１１携帯電話２０１〜第１５携帯電話２０５の位置情報（携帯電話若しくは携帯電話と通信した基地局か当該基地局を含む基地局エリアの緯度経度情報、測位精度情報、当該緯度経度情報の取得日時）が、位置情報振り分けサーバーＡに送られる。
【００３１】
基地局の緯度経度情報は、当該基地局の通話エリアにおける特定の位置（たとえば、当該通話エリアの中心若しくは基地局の設置場所）の緯度経度情報を示すもので、予めそれぞれの基地局の緯度経度情報を決定しておく。
【００３２】
基地局エリアは、たとえば、同じ移動交換機に属する基地局の通話エリアを示すが、更に広げて、近接する複数の移動交換機に属する基地局の通話エリアを示す形態であってもよい。
基地局エリアの緯度経度情報は、当該基地局エリアにおける特定の位置（たとえば、当該基地局エリアの中心）の緯度経度情報を示すもので、予めそれぞれの基地局エリアの緯度経度情報を決定しておく。
【００３３】
携帯電話の識別情報は、数字や記号の文字列で表され、携帯電話に含まれるＳＩＭカード、若しくは携帯電話本体に固有の情報を言う。
ただし、携帯電話の電話番号と１対１で対応するＩＣＣＩＤを携帯電話の識別情報として用いる方が、携帯電話の端末に固有の情報を携帯電話の識別情報として用いる形態に比べて、携帯電話の使用者の位置情報として正しいものを得られる可能性が高い。
なお、携帯電話の電話番号も、携帯電話の識別情報として用いることは可能であるが、個人を特定することが容易であるため、個人を特定しにくいＩＣＣＩＤを用いることが望ましい。
【００３４】
ただし、基地局や基地局エリアの位置情報を携帯電話の位置情報として用いる場合は、緯度経度情報の代わりに、当該基地局や当該基地局エリアの名称などの識別情報を、位置情報振り分けサーバーＡに送信し、位置情報振り分けサーバーＡで、基地局や基地局エリアの識別情報を緯度経度情報に変換するテーブル（不図示）を記録しておき、当該基地局又は当該基地局エリアの識別情報を緯度経度情報に変換する形態であってもよい。
【００３５】
従って、最低限、携帯電話と通信した基地局若しくは当該基地局を含む基地局エリアの識別情報を位置情報として受信出来れば、位置情報振り分けサーバーＡは、携帯電話ごとの位置情報（緯度経度情報）を取得することが可能になる。
【００３６】
ＧＰＳ測位やセルベース測位などで携帯電話自身の位置が特定出来、これが基地局に送信される場合には、当該携帯電話に含まれるＳＩＭカードの識別番号に対応するＩＣＣＩＤと、当該携帯電話の緯度経度情報と、当該緯度経度情報の取得日時、測位精度情報：１（精度が高い）が、当該携帯電話の位置情報とされる。
【００３７】
そうでない場合には、当該携帯電話に含まれるＳＩＭカードの識別番号に対応するＩＣＣＩＤと、当該携帯電話と通信可能となった基地局の緯度経度情報と、当該携帯電話と当該基地局とが通信可能となった日時（当該緯度経度情報の取得日時）、測位精度情報：２（精度が中程度）、若しくは、当該携帯電話に含まれるＳＩＭカードの識別番号に対応するＩＣＣＩＤと、当該携帯電話と通信可能となった基地局を含む基地局エリアの緯度経度情報と、当該携帯電話と当該基地局とが通信可能となった日時（当該緯度経度情報の取得日時）、測位精度情報：３（精度が低い）が、当該携帯電話の位置情報とされる。
【００３８】
位置情報振り分けサーバーＡが受信する位置情報は、携帯電話の緯度経度情報、若しくは、基地局のうちで携帯電話と通信した基地局の識別情報か緯度経度情報、若しくは、基地局のうちで携帯電話と通信した基地局を含む基地局エリアの識別情報か緯度経度情報を含み、測位精度情報を含むものであり、位置情報振り分けサーバーＡが位置情報提供サーバーＢに送信する位置情報は、携帯電話の緯度経度情報か地域名称、若しくは、基地局のうちで携帯電話と通信した基地局の緯度経度情報か地域名称、若しくは、基地局のうちで携帯電話と通信した基地局を含む基地局エリアの緯度経度情報か地域名称を含み、測位精度情報を含むことになる。
【００３９】
測位精度情報を位置情報として含めることで、位置情報提供サーバーＢから提供する位置情報を測位精度に応じて変化させることが可能になる。
【００４０】
位置情報の位置情報振り分けサーバーＡへの送信は、第１基地局１０１〜第１２基地局１１２から、若しくは、ゲートウェイ交換機３１から、若しくは、第１移動交換機３６〜第４移動交換機３９から、若しくはＨＬＲ３３から行われる形態が考えられるが、ゲートウェイ交換機３１やＨＬＲ３３への負荷軽減のために、図１に示すように、ゲートウェイ交換機３１、ＨＬＲ３３を介さずに、第１移動交換機３６〜第４移動交換機３９から位置情報振り分けサーバーＡへ位置情報の送信が行われるのが望ましい。
【００４１】
位置情報の位置情報振り分けサーバーＡへの送信は、一定時間ごとに行われる形態であってもよいし、通信可能となった基地局が切り替わった時や、通信可能となった基地局エリアが切り替わった時に行われる形態であってもよい。
【００４２】
なお、位置登録通信を活用し、ＨＬＲ３３に登録するユーザー情報を更新するために、携帯電話から基地局や交換機を介してＨＬＲ３３へ送られる位置登録情報の一部が、携帯電話の識別情報や当該携帯電話の位置情報として、位置情報振り分けサーバーＡに送られる形態であってもよい。
【００４３】
この場合は、通信可能となった基地局が切り替わった時、若しくは、通信可能となった基地局エリアが切り替わった時に、位置情報について位置情報振り分けサーバーＡへの送信が行われる。
【００４４】
ただし、位置情報振り分けサーバーＡに送信する情報は、携帯電話の識別情報と当該携帯電話の位置情報に限定し、当該携帯電話の契約者（ユーザー）の名称、契約情報は送信しない。
【００４５】
位置情報振り分けサーバーＡの通信部Ａ２０は、第１移動交換機３６などから送られてきた位置情報を受信し、これに基づいて、制御部Ａ３０が、第１位置情報データベースＤ１を作成し、記録部Ａ１０に記録する（図２参照）。
第１位置情報データベースＤ１は、第１移動交換機３６などから位置情報が送られてくるたびに更新される。
【００４６】
記録部Ａ１０に第１位置情報データベースＤ１が記録されているので、特定の携帯電話の位置情報を位置情報提供サーバーＢのいずれかに送信する設定が、第１テーブルＴ１に新たに追加された場合に、第１テーブルＴ１の更新後に当該特定の携帯電話の位置情報を直ちに位置情報提供サーバーＢに送信することが可能になる（図７のステップＳ１４参照）。
【００４７】
本実施形態では、第１１携帯電話２０１に含まれるＳＩＭカードのＩＣＣＩＤが“８９８１  １０００  ２２１５  ２９６７  ７０５”で、第１２携帯電話２０２に含まれるＳＩＭカードのＩＣＣＩＤが“８０８１  １０００  ２３５２  ６１７８  １３６”で、第１３携帯電話２０３に含まれるＳＩＭカードのＩＣＣＩＤが“８９８１  １０００  ２３５３  ３７８１  １７９”で、第１４携帯電話２０４に含まれるＳＩＭカードのＩＣＣＩＤが“８０８１  １０００  ２０６２  ０１２４  ５３７”で、第１５携帯電話２０５に含まれるＳＩＭカードのＩＣＣＩＤが“８９８１  １０００  ５２７０  ０１１９  １９４”であるものとして説明する。
【００４８】
また、位置情報振り分けサーバーＡの記録部Ａ１０は、携帯電話の識別情報（ＩＣＣＩＤ）と、位置情報提供サーバーＢ（第１サーバーＢ１、第２サーバーＢ２、第３サーバーＢ３）のうち、携帯電話の識別情報ごとに、位置情報を送信するサーバーを特定する情報を含む第１テーブルＴ１を有する（識別情報−送信先サーバー変換テーブル、図３参照）。
【００４９】
第１テーブルＴ１は、位置情報振り分けサーバーＡと通信可能なパソコンなどの情報端末を介して、設定されたり更新されたりする形態であってもよいが、位置情報提供サーバーＢのそれぞれで設定された情報に基づいて、設定されたり更新されたりするのが望ましい。この場合、設定工数を少なくしたり、位置情報提供サーバーＢのそれぞれのサーバーと第１テーブルＴ１の設定内容を合わせたりすることが可能になる。
【００５０】
具体的には、事業者と利用者との間で位置情報サービスの契約を行う際などに、位置情報を取得する携帯電話を指定する内容に基づいて、位置情報提供サーバーＢのそれぞれにおける使用者や管理者が、位置情報提供サーバーＢと通信可能なパソコンなどの情報端末を介して、位置情報を取得する携帯電話の識別情報を入力する。もしくは、位置情報提供サーバーＢが、位置情報を取得する携帯電話と通信して、当該携帯電話の識別情報を取得する。
【００５１】
かかる入力操作などに基づいて、第１テーブルＴ１の書き換え情報（たとえば、ＩＣＣＩＤが“８９８１  １０００  ２２１５  ２９６７  ７０５”のＳＩＭカードを含む携帯電話の位置情報は、第２サーバーＢ２に送信することなど）が、位置情報提供サーバーＢから位置情報振り分けサーバーＡに送信される。
位置情報振り分けサーバーＡは、これに基づいて、第１テーブルＴ１を更新する。
【００５２】
図３に示す第１テーブルＴ１は、例として、第１１携帯電話２０１（ＩＣＣＩＤ：８９８１  １０００  ２２１５  ２９６７  ７０５）の位置情報は、第２サーバーＢ２と第３サーバーＢ３に送られ、第１２携帯電話２０２（ＩＣＣＩＤ：８０８１  １０００  ２３５２  ６１７８  １３６）の位置情報は、送り先サーバーが未登録で、第１３携帯電話２０３（ＩＣＣＩＤ：８９８１  １０００  ２３５３  ３７８１  １７９）の位置情報は、第１サーバーＢ１に送られ、第１４携帯電話２０４（ＩＣＣＩＤ：８０８１  １０００  ２０６２  ０１２４  ５３７）の位置情報は、第１サーバーＢ１と第３サーバーＢ３に送られ、第１５携帯電話２０５（ＩＣＣＩＤ：８９８１  １０００  ５２７０  ０１１９  １９４）の位置情報は、第１サーバーＢ１と第２サーバーＢ２に送られることを表している。
【００５３】
位置情報振り分けサーバーＡは、第１移動交換機３６などから送られてきた位置情報を、位置情報提供サーバーＢ（第１サーバーＢ１、第２サーバーＢ２、第３サーバーＢ３）のうち、第１テーブルＴ１で指定されたサーバーに送信する。
【００５４】
すなわち、位置情報振り分けサーバーＡの記録部Ａ１０には、第１移動交換機３６などから、携帯電話の識別情報（ＩＣＣＩＤ）と、当該携帯電話の位置情報（緯度経度、測位精度など）を受信する受信工程と、位置情報提供サーバーのうちで、第１テーブルＴ１で指定されたサーバーに、受信した携帯電話の識別情報と位置情報を送信する送信工程と実行するプログラム（位置情報の振り分けプログラム）がインストールされており、位置情報振り分けサーバーＡの制御部Ａ３０は、位置情報振り分けサーバーＡの通信部Ａ２０に、当該受信工程や当該送信工程を実行させる。
【００５５】
位置情報提供サーバーＢ（第１サーバーＢ１、第２サーバーＢ２、第３サーバーＢ３）は、それぞれ、位置情報振り分けサーバーＡから送られる携帯電話の位置情報を、当該携帯電話や、他の情報端末に対して送信する位置情報サービスを提供するサーバーである。
【００５６】
位置情報提供サーバーＢのそれぞれは、携帯電話の識別情報と携帯電話の使用者名称や携帯電話番号との関係を示す第２テーブルＴ２（識別情報−使用者名称変換テーブル、図４参照）と、緯度経度情報を地域名称に変換する第３テーブルＴ３（緯度経度−地域名称変換テーブル、図５参照）を有しており、位置情報振り分けサーバーＡから携帯電話ごとの位置情報と識別情報（ＩＣＣＩＤ）を受信すると、当該識別情報を携帯電話の使用者名称などに変換した第２位置情報データベース（特定情報データベース）Ｄ２を作成し、記録する（図６参照）。
【００５７】
たとえば、第１サーバー（特定情報送信サーバー）Ｂ１は、契約者の携帯電話の位置情報を、指定した者（許可者）が確認した後に、特定の情報端末（開示要求者の情報端末）にメールで送信することで位置情報サービス（１）を提供する。
第１サーバーＢ１による位置情報サービス（１）は、後段で詳細に説明する。
【００５８】
また、第２サーバーＢ２は、子供や老人など監視対象者の携帯電話の位置情報を、契約者の情報端末にメールで送信することで位置情報サービス（２）を提供する。
【００５９】
また、第３サーバーＢ３は、タクシーやトラックなど監視対象物に搭載された携帯電話の位置情報を、契約者の情報端末のブラウザ上に公開することで位置情報サービス（３）を提供する。
【００６０】
図４は、第１サーバーＢ１が有する第２テーブルＴ２の例を示し、図５は、第１サーバーＢ１が有する第３テーブルＴ３の例を示し、図６は、第１サーバーＢ１が有する第２位置情報データベースＤ２の例を示す。
【００６１】
第２位置情報データベースＤ２は、位置情報振り分けサーバーＡから位置情報が送られてくるたびに更新される。
【００６２】
第２テーブルＴ２と、第３テーブルＴ３は、位置情報提供サーバーＢと通信可能なパソコンなどの情報端末を介して、設定される。
第３テーブルＴ３における地域名称の表記方法は、第１サーバーＢ１〜第３サーバーＢ３で別々のものであってもよいし、共通のものであってもよい。共通のものである場合は、緯度経度情報から地域名称への変換を、位置情報振り分けサーバーＡ側で行う形態であってもよい。
【００６３】
次に、位置情報振り分けサーバーＡが、第１移動交換機３６などから送られてきた位置情報を、位置情報提供サーバーＢ（第１サーバーＢ１、第２サーバーＢ２、第３サーバーＢ３）に送信する位置情報送信制御手順を、図７のフローチャートを用いて説明する。
【００６４】
位置情報振り分けサーバーＡは、以下に示すステップＳ１１〜Ｓ１５の動作を一定時間ごと（たとえば、１０ｍｓごと）に実行する。
【００６５】
サーバーＡの制御部Ａ３０は、位置情報の位置情報振り分けサーバーＡへの送信があったか否かを判断する（ステップＳ１１）。
たとえば、第１３携帯電話２０３が通信状態にある基地局を含む基地局エリアの変更があった場合に、変更後の基地局エリアの移動交換機（第２移動交換機３７）から、位置情報がサーバーＡに送信される。
【００６６】
位置情報の送信を受けた場合には、サーバーＡの制御部Ａ３０は、かかる位置情報に基づいて、第１データベースＤ１を更新する（受信工程、ステップＳ１２）。
位置情報の送信を受けていない場合には、ステップＳ１４に進められる。
【００６７】
サーバーＡの制御部Ａ３０は、第１テーブルＴ１に基づいて、第１データベースＤ１に記録した位置情報のうち、ステップＳ１２で更新した位置情報が、位置情報提供サーバーＢのいずれかに送信するものであるか否かを判断する（ステップＳ１３）。
【００６８】
たとえば、ステップＳ１２で更新した位置情報が、第１３携帯電話２０３（ＩＣＣＩＤ：８９８１  １０００  ２３５３  ３７８１  １７９）の位置情報である場合は、位置情報提供サーバーＢのいずれか（第１サーバーＢ１）に送信するものであると判断され、ステップＳ１５に進められる。
【００６９】
また、ステップＳ１２で更新した位置情報が、第１２携帯電話２０２（ＩＣＣＩＤ：８０８１  １０００  ２３５２  ６１７８  １３６）の位置情報である場合は、位置情報提供サーバーＢのいずれかに送信するものでないと判断され、ステップＳ１４に進められる。
【００７０】
ステップＳ１４で、位置情報振り分けサーバーＡの制御部Ａ３０は、第１テーブルＴ１が更新され、新たに位置情報提供サーバーＢのいずれかに位置情報を送信する必要があるか否かを判断する。
【００７１】
たとえば、図３に示す現時点の第１テーブルＴ１では、第１２携帯電話２０２（ＩＣＣＩＤ：８０８１  １０００  ２３５２  ６１７８  １３６）の位置情報については、位置情報提供サーバーＢのいずれにも送信しない設定がなされているが、新たに、位置情報提供サーバーＢのいずれか（たとえば、第１サーバーＢ１）に送信する旨の設定を追加するような第１テーブルＴ１の更新がされた場合には、位置情報を送信する必要があると判断して、ステップＳ１５に進められる。
【００７２】
第１テーブルＴ１が更新されていない、若しくは、第１テーブルＴ１は更新されたが、新たに、位置情報提供サーバーＢのいずれかに送信する旨の設定が追加されていない場合には、位置情報を送信する必要が無いと判断して、位置情報送信制御を終了する。
【００７３】
位置情報振り分けサーバーＡの制御部Ａ３０は、ステップＳ１２で更新した位置情報、若しくは、ステップＳ１４で送信する必要があると判断した位置情報を、第１テーブルＴ１に基づいて対応する位置情報提供サーバーＢに送信し、位置情報送信制御を終了する（送信工程、ステップＳ１５）。
【００７４】
たとえば、ステップＳ１２で更新した位置情報が、第１３携帯電話２０３（ＩＣＣＩＤ：８９８１  １０００  ２３５３  ３７８１  １７９）の位置情報である場合は、位置情報振り分けサーバーＡの制御部は、第１サーバーＢ１に、位置情報を送信する。
【００７５】
位置情報を受信した位置情報提供サーバーＢは、当該位置情報に基づいて、自身の第２位置情報データベースＤ２を更新する。更新した第２位置情報データベースＤ２が、位置情報サービスに用いられる。
【００７６】
本実施形態では、位置情報振り分けサーバーＡが、位置情報を提供するサーバー（位置情報提供サーバーＢ）のそれぞれに必要な位置情報を送信するため、通信キャリアの設備（ここでは第１移動交換機３６〜第４移動交換機３９）との通信は、位置情報振り分けサーバーＡだけで済む。
【００７７】
このため、位置情報を提供するサーバーが増えても、サーバーが増えたことによって、交換機など通信キャリアの既存の設備（コアネットワーク３０内の装置）から位置情報を発するための負荷は増大しない。
【００７８】
位置情報は、災害時など、通信回線が混雑する時に必要とされる可能性が高いが、本実施形態では、通信キャリアの既存の設備から位置情報振り分けサーバーＡに位置情報を送信するだけで、位置情報振り分けサーバーＡから位置情報提供サーバーＢの複数のサーバーへ位置情報の送信を行うため、当該通信キャリア内の他の回線の妨げとなる可能性を低くすることが出来る。
【００７９】
また、位置情報振り分けサーバーＡをコアネットワーク３０の設備の内部に設けた場合には、当該コアネットワーク３０を運用する通信キャリアに属する携帯電話の位置情報に限られるかもしれない。
位置情報振り分けサーバーＡをコアネットワーク３０の設備の外部に設ければ、１つの通信キャリアに属する携帯電話の位置情報だけでなく、複数の通信キャリアの設備（移動基地局など）からの位置情報も受信し、様々な通信キャリアに属する携帯電話の位置情報を一元管理し、第１位置情報データベースＤ１として記録し、第１テーブルＴ１に基づいて、位置情報提供サーバーＢのそれぞれに位置情報を送信する形態も考えられる。
【００８０】
なお、位置情報振り分けサーバーＡは、通信キャリアの基地局や交換機などから、携帯電話の識別情報ごとに当該携帯電話の位置情報を受信するが、当該携帯電話の使用者名称などを有しない。
このため、位置情報振り分けサーバーＡの記録部Ａ１０に記録される携帯電話の識別情報ごとの位置情報（第１位置情報データベースＤ１）は、単なる文字列に過ぎない識別情報を使用者名称などに変換するテーブルを持たない限り、有益な位置情報としてこれを利用することが出来ない。
【００８１】
位置情報提供サーバーＢでは、第２テーブルＴ２を使って、位置情報振り分けサーバーＡから送られてくる携帯電話の識別情報と当該携帯電話の位置情報を、携帯電話の使用者名称に対応する位置情報として把握することが出来る。
【００８２】
これにより、位置情報提供サーバーＢは、位置情報提供サーバーＢのサービス提供を受ける利用者に対して、特定の携帯電話の位置情報を知らせることが可能になる。
【００８３】
また、位置情報に、携帯電話、若しくは、携帯電話と通信した基地局、若しくは、当該基地局を含む基地局エリアの高さ情報を含める形態であってもよい。
図８は、第１位置情報データベースＤ１が、高さ情報（単位：ｍ）を含む例を示す。
【００８４】
ＧＰＳ測位などで携帯電話自身の高さを特定出来、これが基地局に送信される場合には、当該携帯電話に含まれるＳＩＭカードの識別番号に対応するＩＣＣＩＤと、当該携帯電話の緯度経度情報と、当該携帯電話の高さ情報と、当該緯度経度情報や高さ情報の取得日時、測位精度情報：１（精度が高い）が、当該携帯電話の位置情報とされる。
【００８５】
そうでない場合には、当該携帯電話に含まれるＳＩＭカードの識別番号に対応するＩＣＣＩＤと、当該携帯電話と通信可能となった基地局の緯度経度情報と、当該基地局の高さ情報と、当該携帯電話と当該基地局とが通信可能となった日時（当該緯度経度情報や当該高さ情報の取得日時）、測位精度情報：２（精度が中程度）、若しくは、当該携帯電話に含まれるＳＩＭカードの識別番号に対応するＩＣＣＩＤと、当該携帯電話と通信可能となった基地局を含む基地局エリアの緯度経度情報と、当該基地局エリアの高さ情報と、当該携帯電話と当該基地局とが通信可能となった日時（当該緯度経度情報や当該高さ情報の取得日時）、測位精度情報：３（精度が低い）が、当該携帯電話の位置情報とされる。
【００８６】
基地局の高さ情報は、基地局の通話エリアの平均的な海抜（近隣の港湾などの平均海面からの高さ）、若しくは、標高（平均海面からの高さ）を示し、基地局エリアの高さ情報は、基地局エリアの通話エリアの平均的な海抜（近隣の港湾などの平均海面からの高さ）若しくは、標高（平均海面からの高さ）を示すもので、予めそれぞれの基地局や基地局エリアの高さ情報を決定しておく。
【００８７】
基地局や基地局エリアの高さ情報は、高さ情報の代わりに、当該基地局や当該基地局エリアの名称などの識別情報を、位置情報振り分けサーバーＡに送信し、位置情報振り分けサーバーＡで、基地局や基地局エリアの識別情報を高さ情報に変換するテーブル（不図示）を記録しておき、当該基地局又は当該基地局エリアの識別情報を高さ情報に変換する形態であってもよい。
【００８８】
従って、最低限、携帯電話と通信した基地局若しくは当該基地局を含む基地局エリアの識別情報を位置情報として受信出来れば、位置情報振り分けサーバーＡは、携帯電話ごとの位置情報（緯度経度情報と高さ情報）を取得することが可能になる。
【００８９】
位置情報振り分けサーバーＡが受信する位置情報は、携帯電話の高さ情報、若しくは、基地局のうちで携帯電話と通信した基地局の識別情報か高さ情報、若しくは、基地局のうちで携帯電話と通信した基地局を含む基地局エリアの識別情報か高さ情報を含み、位置情報振り分けサーバーＡから位置情報提供サーバーＢに送信する位置情報は、携帯電話の高さ情報、若しくは、基地局のうちで携帯電話と通信した基地局の高さ情報、若しくは、基地局のうちで携帯電話と通信した基地局を含む基地局エリアの高さ情報をさらに含むことになる。
【００９０】
位置情報に高さ情報を付加することにより、津波や高潮などの危険予測にも役立てることが可能になる。
【００９１】
ＧＰＳ測位では、緯度経度など水平方向の情報に比べて、高度など鉛直方向の誤差が大きくなる傾向にある。
一方、基地局若しくは基地局エリアの通話エリアの高さ情報は、予め決定しておいた情報を使うことが出来るため、誤差を少なくすることが出来る。
このため、基地局若しくは基地局エリアの通話エリアの高さ情報を用いることにより、ＧＰＳ測位の高さ情報を用いる形態に比べて、少なくとも誤差による全く見当違いの高さの情報を示すおそれが減る。
【００９２】
また、海抜を高さ情報にした場合は、標高を高さ情報とした場合に比べて、近くの海と比較した高さの情報を正確に知ることが可能になり、津波や高潮などの危険予測にも役立てやすい。
【００９３】
次に、位置情報提供サーバーＢによる位置情報サービスの例として、第１サーバーＢ１による位置情報サービス（１）の具体的な形態を説明する。
【００９４】
第１サーバーＢ１は、第２テーブルＴ２（識別情報−使用者名称変換テーブル、図４参照）と、第３テーブルＴ３（緯度経度−地域名称変換テーブル、図５参照）と、第２位置情報データベースＤ２（図６参照）に加えて、開示条件データベースＤ３を記録する。
開示条件データベースＤ３は、使用者（被開示要求者）の識別情報と、当該使用者の携帯電話の位置情報と、当該位置情報を開示する相手（開示要求者）の識別情報や、当該開示要求者に位置情報を開示することを承認する者（許可者）の識別情報の関係を示す（図９参照）。
【００９５】
開示条件データベースＤ３は、位置情報提供サーバーＢ（第１サーバーＢ１）と通信可能なパソコンなどの情報端末であって、使用者の識別情報でログインした端末、若しくは、使用者の識別情報に対応する端末を介して、設定される。
【００９６】
識別情報やパスワードの入力を促すログインメニューを表示させる所定のＵＲＬ（Uniform Resource Locator）にアクセスし、使用者の識別情報やパスワードでログインした端末が、使用者の識別情報で第１サーバーＢ１にアクセスしログインした端末として用いられる。
【００９７】
情報端末に含まれるＳＩＭカード、若しくは情報端末本体に固有の情報と、使用者の識別情報との対応関係が予め登録され、当該固有の情報を有するＳＩＭカードを含む情報端末や当該固有の情報を有する情報端末が、使用者の識別情報に対応する端末として用いられる。
【００９８】
開示条件データベースＤ３は、「使用者情報（被開示要求者情報）」、「情報名称」、「情報コンテンツ」、「開示要求者情報」、「許可者情報」を有する。
【００９９】
「使用者情報」は、使用者の識別情報として、位置情報が開示される携帯電話の使用者の名称や、当該使用者の識別番号を有する。
識別番号は、携帯電話に含まれるＳＩＭカードの識別番号に対応するＩＣＣＩＤや、当該携帯電話の電話番号が使われる形態であってもよいし、これらの番号に対応する個別の識別番号が使用される形態であってもよい。
【０１００】
本実施形態では、個別の識別番号を用い、第１３携帯電話２０３（ＩＣＣＩＤ：８９８１  １０００  ２３５３  ３７８１  １７９、使用者名称：田中）の「使用者ＩＤ」が識別番号０１であり、第１４携帯電話２０４（ＩＣＣＩＤ：８０８１  １０００  ２０６２  ０１２４  ５３７、使用者名称：山田）の「使用者ＩＤ」が識別番号０２であり、第１５携帯電話２０５（ＩＣＣＩＤ：８９８１  １０００  ５２７０  ０１１９  １９４、使用者名称：鈴木）の「使用者ＩＤ」が識別番号０３であるとして説明する。
【０１０１】
「情報名称」は、開示要求者に提供する情報コンテンツの名称で、ここでは、いずれも「位置情報」に設定される。
【０１０２】
ただし、「遺言書」など、「位置情報」以外も、「情報名称」として設定されることも考えられる。
【０１０３】
「情報コンテンツ」は、「情報名称」に対応するコンテンツの収納場所もしくはコンテンツそのもので、ここでは、いずれも第２位置情報データベースＤ２に収納されていることを示す「Ｄ２」に設定される。
【０１０４】
ただし、「Ｄ２」以外の収納場所や、コンテンツそのものが、「情報コンテンツ」として設定されることも考えられる。
「情報名称」や「情報コンテンツ」が、被開示要求者に関する特定の情報に相当する。
【０１０５】
「開示要求者情報」は、開示要求者の識別情報として、使用者の携帯電話の位置情報を要求する者（許可者の承認後に位置情報が提供される相手）の名称や識別番号を有する。
【０１０６】
「許可者情報」は、許可者の識別情報として、使用者の携帯電話の位置情報を開示することを承認する者の名称や識別番号を有する。
【０１０７】
本実施形態では、名称：木村の識別番号を２３とし、名称：佐藤の識別番号を２４とし、名称：中村の識別番号を２５とする。
【０１０８】
また、第１サーバーＢ１は、上述の識別番号と、開示要求者に対する位置情報の送信先情報（携帯電話番号やメールアドレス）や、許可者に対する承認可否連絡の送信先情報（携帯電話番号やメールアドレス）との関係を示す第４テーブル（識別番号−送信先変換テーブル）Ｔ４を記録する（図１０参照）。
【０１０９】
なお、開示要求者に対する被開示要求者の位置情報の送信手段や、許可者に対する承認可否連絡の送信手段は、ＳＭＳやＥ−ｍａｉｌに限定されるものではなく、ＳＮＳ（Social Networking Service）や特定のアプリケーションソフトであってもよい。
この場合、携帯電話番号やメールアドレスに代えて、当該ＳＮＳや当該特定のアプリケーションソフトのアカウントが、送信先情報として用いられる。
ただし、許可者に対する承認可否連絡については、プッシュモードなど特別なモード設定を行わずとも、端末が通話可能な状態である限り確実に受信させ当該許可者に通知することが出来るＳＭＳが送信手段として用いられるのが望ましい。
【０１１０】
第１サーバーＢ１の通信部Ｂ１ａは、開示要求者からの「情報コンテンツ」の開示要求を受けると、当該「情報コンテンツ」の開示要求を受けた使用者に対応する許可者へ承認可否通知を行い、開示要求者に位置情報を提供する手順を開始する（図１１のステップＳ３１参照）。
【０１１１】
具体的には、第１サーバーＢ１の通信部Ｂ１ａは、開示要求者が使用する端末（開示要求者の識別情報で第１サーバーＢ１にアクセスしログインした端末、若しくは開示要求者の識別情報に対応する端末）に、開示条件データベースＤ３の中で、当該開示要求者が開示要求出来る情報コンテンツのリスト（図１２参照）を表示させるための信号を送信する。
開示要求者などがリスト画面上の開示要求ボタンをクリックすることで、対応する情報コンテンツの開示要求が当該端末から第１サーバーＢ１の通信部Ｂ１ａに送信され、これによって承認可否通知などが開始される。
【０１１２】
識別情報やパスワードの入力を促すログインメニューを表示させる所定のＵＲＬにアクセスし、開示要求者の識別情報やパスワードでログインした端末が、開示要求者の識別情報で第１サーバーＢ１にアクセスしログインした端末として用いられる。
【０１１３】
情報端末に含まれるＳＩＭカード、若しくは情報端末本体に固有の情報と、開示要求者の識別情報との対応関係が予め登録され、当該固有の情報を有するＳＩＭカードを含む情報端末や当該固有の情報を有する情報端末が、開示要求者の識別情報に対応する端末として用いられる。
【０１１４】
承認可否通知では、「開示要求者が使用者の情報コンテンツ（位置情報）を開示することを要求したこと」、「当該情報コンテンツを開示要求者に開示することを承諾するか否かを回答するリンク」を含む承認依頼メッセージを許可者の送信先（携帯電話番号、もしくはメールアドレス）に送信する。
【０１１５】
承認依頼メッセージとしては、たとえば、開示要求者：木村（識別番号：２３）が、使用者：田中（識別番号：０１）の情報コンテンツ（位置情報）の開示を要求した場合には、許可者：佐藤（識別番号：２４）に対して、「木村さんが、田中さんの位置情報の開示を要求しています。開示を承認する場合は、第１ハイパーリンク（ｈｔｔｐ：／／ｋａｉｔｏｕ．ｊｐ／？e＝位置情報＆ｄ＝２４＆ｃ＝２３＆ｂ＝０１＆ａ＝ＯＫ）をクリックしてください。開示を承認しない場合は、第２ハイパーリンク（ｈｔｔｐ：／／ｋａｉｔｏｕ．ｊｐ／？e＝位置情報＆ｄ＝２４＆ｃ＝２３＆ｂ＝０１＆ａ＝ＮＧ）をクリックしてください。ｎ分以内に、第２ハイパーリンクがクリックされない場合は、承認したと見なされます。」という内容が考えられる（図１３参照、ｎは任意の数）。
【０１１６】
メールアドレスに承認依頼メッセージを送信する場合には、ＵＲＬ表示に代えて、第１ハイパーリンクに対応する承認ボタンや第２ハイパーリンクに対応する拒否ボタンを設ける形態であってもよい（図１４参照）。
【０１１７】
このときに、開示要求者が許可者に対して、開示要求を承認することを要望する旨などのメッセージなどを添付し、第１サーバーＢ１の通信部Ｂ１ａが、当該メッセージも承認依頼メッセージとともに許可者に送信するのが望ましい（図１５参照）。
【０１１８】
なお、許可者を複数設定し、複数の許可者の全員の承諾を開示条件とする形態であってもよいし、複数の許可者のうち何人かの承諾を開示条件とする形態であってもよい。
【０１１９】
また、第１サーバーＢ１の通信部Ｂ１ａは、開示要求者が使用する端末（開示要求者の識別情報でログインした端末、若しくは開示要求者の識別情報に対応する端末）もしくは、開示要求者の識別情報に対応する携帯電話番号若しくはメールアドレスへ、許可者への承認可否を待って、「情報コンテンツ」が送信される旨の受領通知を行う。
【０１２０】
受領通知では、「第１サーバーＢ１が、開示要求者から使用者の情報コンテンツを開示することを要求する旨の通知を受領したこと」、「許可者の承認後に、当該使用者の情報コンテンツが開示されること」を含む受領確認メッセージを、第１サーバーＢ１の通信部Ｂ１ａが送信する。
【０１２１】
受領確認メッセージとしては、たとえば、開示要求者：木村（識別番号：２３）が、使用者：田中（識別番号：０１）の情報コンテンツの開示を要求した場合には、開示要求者：木村（識別番号：２３）に対して、「サーバーは、木村さんによる、田中さんの位置情報の開示要求を受け付けました。許可者の承認後に、位置情報が送信されます。」という内容が考えられる（図１６参照）。
【０１２２】
許可者の端末（携帯電話番号、もしくはメールアドレス）には、上述の承認依頼メッセージが送られてくる。
許可者は、当該承認依頼メッセージに含まれる第１ハイパーリンク若しくは第２ハイパーリンク（図１３、図１４参照）をクリックすることで承認可否を回答する。
このとき、なりすましを防止するために、第１ハイパーリンクなどのクリック後に、許可者にパスワードを入力させ、正しいパスワードの入力が行われた場合に、第１サーバーＢ１が、当該承認可否の受付を行う形態であってもよい。
【０１２３】
承認依頼メッセージにおける第１ハイパーリンクなどがクリックされると、許可者の端末から、第１ハイパーリンクなどに関連づけられたＵＲＬ情報「ｈｔｔｐ：／／ｋａｉｔｏｕ．ｊｐ」へのアクセスが行われ、第１サーバーＢ１は、「？」以下のパラメータを読み取り、「ｅ＝」以下の識別子（情報名称）と、「ｄ＝」以下の識別子（許可者の識別番号）と、「ｃ＝」以下の識別子（開示要求者の識別番号と、「ｂ＝」以下の識別子（使用者の識別番号）と、「ａ＝」以下の識別子（開示を承認する場合：ＯＫ、開示を拒否する場合：ＮＧ）から、当該情報名称に対応する情報コンテンツについて開示要求者からの開示要求を承認するか否かを判別する（図１１のステップＳ３２参照）。
【０１２４】
ｎ分以内に拒否ボタン（第２ハイパーリンク）がクリックされなかった場合や、ｎ分以内に承認ボタン（第１ハイパーリンク）がクリックされた場合には、第１サーバーＢ１の通信部Ｂ１ａは、「ｅ＝」以下の識別子（情報名称）に対応する情報コンテンツ（ここでは、使用者：田中（識別番号：０１）の携帯電話の位置情報）を、開示要求者：木村（識別番号：２３）の携帯電話番号にＳＭＳメッセージで送信する、若しくは開示要求者：木村（識別番号：２３）のメールアドレスにＥ−ｍａｉｌで送信する（図１１のステップＳ３３〜３５、図１７参照）。
【０１２５】
使用者：田中（識別番号：０１）の携帯電話の位置情報であって、当該位置情報の送信を行うことが決定される前に、第１サーバー（特定情報送信サーバー）Ｂ１の第２位置情報データベースＤ２に記録されたものが、開示要求者：木村（識別情報：２３）の携帯電話番号へのＳＭＳメッセージ送信若しくはメールアドレスへのＥ−ｍａｉｌ送信に使用される。
【０１２６】
ｎ分以内に拒否ボタン（第２ハイパーリンク）がクリックされた場合には、第１サーバーＢ１の通信部Ｂ１ａは、「ｅ＝」以下の識別子（情報名称）に対応する情報コンテンツ（ここでは、使用者：田中（識別番号：０１）の位置情報）の開示が拒否された旨（位置情報を開示しない旨）を、開示要求者：木村（識別番号：２３）の携帯電話番号にＳＭＳメッセージで送信する、若しくは開示要求者：木村（識別番号：２３）のメールアドレスにＥ−ｍａｉｌで送信する（図１１のステップＳ３４とステップＳ３６、図１８参照）。
【０１２７】
これにより、位置情報に対応する携帯電話の使用者（被開示要求者）が情報コンテンツを開示するか否かを決定することが出来ない状況下でも、第三者（許可者）の判断により、開示要求者に当該情報コンテンツ（位置情報）を開示するか否かを決定し、承認後に当該情報コンテンツを開示要求者に提供することが可能になる。
また、特定の情報（被開示要求者の携帯電話の位置情報）は、予め、第１サーバー（特定情報送信サーバー）Ｂ１の第２位置情報データベースＤ２に記録されているため、開示の許可が決定した後に、被開示要求者の携帯電話において特定の情報（位置情報）を取得出来ない状況でも、当該特定の情報を開示要求者に開示することが可能になる。
【０１２８】
たとえば、携帯電話の使用者（被開示要求者）が父親、開示要求者が当該父親の息子、許可者が当該父親の顧問弁護士で、当該息子が当該父親と連絡を取れない状態になり、当該父親の居場所を知りたい場合に、当該顧問弁護士に当該父親の位置情報を当該息子に開示することを承認させる形態が考えられる。
このときに、当該父親が自身の携帯電話の位置情報を取得する操作ができなくても、当該顧問弁護士の開示承認後に、予め第１サーバー（特定情報送信サーバー）Ｂ１の第２位置情報データベースＤ２に記録された位置情報を、当該息子に開示することが出来る。
【０１２９】
なお、承認依頼メッセージは、第１ハイパーリンクや第２ハイパーリンクに代えて、「承認する旨の返信」か「承認しない旨の返信」を促すメッセージを含むものであってもよい（図１９参照）。
この場合には、第１サーバーＢ１において、返信メッセージを読み取り、「承認する旨の返信」であるか「承認しない旨の返信」であるかを判断する必要があるが、ＳＭＳによる返信が可能になり、インターネットに接続出来る環境下でなくても承認可否確認が出来る。
【０１３０】
また、承認依頼メッセージは、情報コンテンツの開示を承諾するか拒否するかの２つの選択肢を含める形態であってもよいが、拒否する場合は承認依頼メッセージに何かの文字を入力して返信し、承認する場合は返信せずに放置するという形態であってもよい（図２０参照）。この場合は、ＳＭＳによる通信が可能な状態であれば、インターネットに接続出来る環境下でなくても承認可否確認が出来る。
【０１３１】
ただし、複数の承認依頼メッセージを同じ許可者の携帯電話番号に送信する場合には、いずれの承認依頼メッセージに対するものであるかを判別する必要がある。
このため、１つの承認依頼メッセージを送信した時は、当該１つの承認依頼メッセージに対する返信を第１サーバーＢ１の通信部Ｂ１ａが受信するか、所定の時間（ｎ分間）が経過するまでは、次の承認依頼メッセージを同じ許可者の携帯電話番号に送信しないように承認依頼メッセージの送信制御が行われるのが望ましい。
【０１３２】
また、所定の時間（ｎ分）以内に拒否ボタンのクリックがなければ、承認と見なされる形態を、所定の時間（ｎ分）以内に承諾ボタンのクリックがなければ、拒否と見なされる形態にしてもよい。
【０１３３】
また、使用者の携帯電話の位置情報が情報コンテンツ（特定の情報）である形態を説明したが、他の情報を情報コンテンツとする形態であってもよい。
たとえば、特定の情報のコンテンツの送信を行うことが決定される前（許可者の承諾の前）に第１サーバーＢ１自身、若しくは、第１サーバーＢ１の通信部Ｂ１ａと通信可能な装置Ｃの情報データベースＤ４に記録された情報（遺言書の電子データなど）を、情報コンテンツ（特定の情報）として、許可者の承諾の後に、開示要求者に開示する形態が考えられる。
【０１３４】
また、許可者による端末上の操作に基づいて、開示要求の承認可否を決定する形態に代えて、第１サーバーＢ１自身、若しくは、第１サーバーＢ１の通信部Ｂ１ａと通信可能な特定の装置Ｅに記録されたデータ（当該装置にアクセスして得られた情報）に基づいて、開示要求の承認可否（開示要求された情報コンテンツを送信するか否か）を決定する形態であってもよい。
【０１３５】
たとえば、第１サーバーＢ１の通信部Ｂ１ａが電気ポットと通信を行い、当該電気ポットが使用されていない未使用時間ｔを当該データとして取得し、未使用時間ｔが閾値以上に長ければ、開示要求を承認する形態が考えられる。
【０１３６】
図２１は、開示条件データベースＤ３が、位置情報の開示条件の他に、使用者：田中（識別番号：０１）が装置Ｃの情報データベースＤ４に記録した情報コンテンツ（遺言書）の開示条件（開示要求者：佐藤（識別番号：２４）、許可者：木村（識別番号：２３））や、使用者：鈴木（識別番号：０２）が情報データベースＤ４に記録した情報コンテンツ（暗唱番号）の開示条件（開示要求者：木村（識別番号：２３）、許可者：特定の装置Ｅ（電気ポット、識別番号：２６））を有する例を示す。
【０１３７】
許可者が人ではなく、電気ポットなどの特定の装置Ｅである場合には、開示条件データベースＤ３を作成する際には、許可者に相当する特定の装置Ｅ（ここでは電気ポット）、当該特定の装置Ｅとの通信プロトコル、承認可否条件（ここでは、未使用時間ｔが閾値以上に長いこと）が設定される。
また、許可者が人ではなく、電気ポットなどの特定の装置Ｅである場合には、承認依頼メッセージの送信に代えて、第１サーバーＢ１の通信部Ｂ１ａは、当該電気ポットにアクセスし、承認可否条件に関連する情報（未使用時間ｔ）を取得するプログラムを実行する。
【０１３８】
本実施形態では、第１サーバーＢ１の通信部Ｂ１ａは、位置情報振り分けサーバーＡから位置情報を受信し、許可者の承認後に開示要求者に当該位置情報を送信する形態を説明したが、位置情報振り分けサーバーＡを経由せずに、通信キャリアの基地局や交換機などから、位置情報を受信する形態であってもよい。
【０１３９】
なお、開示条件データベースＤ３に、許可者が設定される前に、当該許可者に対して、許可者になることについて承諾を得る通知を行い、承諾が得られた場合に、開示条件データベースＤ３に設定される形態であってもよい。
【０１４０】
たとえば、開示条件データベースＤ３において、許可者が仮設定されると、第１サーバーＢ１の通信部Ｂ１ａは、当該許可者の携帯電話番号若しくはメールアドレスに、許可者になることの承諾を依頼する許可者承認可否通知を開始する。
【０１４１】
許可者承認可否通知では、「開示要求者が使用者の情報コンテンツ（位置情報）を開示することを要求した場合に、使用者は、本通知の受領者が開示を承認するか否かを判断する許可者になることを要望していること」、「当該許可者になることを承諾するか否かを回答するリンク」を含む許可者承認依頼メッセージを、第１サーバーＢ１の通信部Ｂ１ａは、許可者として登録される予定の者の送信先（携帯電話番号、もしくはメールアドレス）に送信する。
【０１４２】
許可者承認依頼メッセージとしては、たとえば、開示要求者：木村（識別番号：２３）が、使用者：田中（識別番号：０１）の情報コンテンツ（位置情報）の開示を要求した場合に、佐藤（識別番号：２４）に当該開示を承認するか否かを判断する許可者になってもらう場合には、当該佐藤（識別番号：２４）に対して、「木村さんが、田中さんの位置情報の開示を要求した場合に、開示を承認するか否かを判断する許可者になってください。許可者になることを承認する場合は、許可者承認ボタン（第３ハイパーリンク、ｈｔｔｐ：／／ｋｙｏｋａｋａｉｔｏｕ．ｊｐ／？e＝位置情報＆ｄ＝２４＆ｃ＝２３＆ｂ＝０１＆ａ＝ＯＫ）をクリックしてください。許可者になることを承認しない場合は、許可者拒否ボタン（第４ハイパーリンク、ｈｔｔｐ：／／ｋｙｏｋａｋａｉｔｏｕ．ｊｐ／？e＝位置情報＆ｄ＝２４＆ｃ＝２３＆ｂ＝０１＆ａ＝ＮＧ）をクリックしてください。」という内容が考えられる（図２２参照）。
【０１４３】
許可者承認依頼メッセージにおける第３ハイパーリンクなどがクリックされると、許可者の端末から、第３ハイパーリンクなどに関連づけられたＵＲＬ情報「ｈｔｔｐ：／／ｋｙｏｋａｋａｉｔｏｕ．ｊｐ」へのアクセスが行われ、第１サーバーＢ１は、「？」以下のパラメータを読み取り、「ｅ＝」以下の識別子（情報名称）と、「ｄ＝」以下の識別子（許可者の識別番号）と、「ｃ＝」以下の識別子（開示要求者の識別番号と、「ｂ＝」以下の識別子（使用者の識別番号）と、「ａ＝」以下の識別子（許可者になることを承認する場合：ＯＫ、許可者になることを拒否する場合：ＮＧ）から、当該情報名称に対応する情報コンテンツについて開示要求者からの開示要求の許可者になることを承認するか否かを判別する。
【０１４４】
許可者承認ボタン（第３ハイパーリンク）がクリックされた場合には、第１サーバーＢ１は、「ｄ＝」以下の識別子で示される識別番号に対応する者を、「ｂ＝」以下の識別子で示される使用者における、「ｅ＝」以下の識別子で示される情報名称について、「ｃ＝」以下の識別子で示される識別番号に対応する開示要求者からの開示要求を承認するか否かを判断する許可者として、開示条件データベースＤ３に設定する。
【０１４５】
許可者拒否ボタン（第４ハイパーリンク）がクリックされた場合には、第１サーバーＢ１は、「ｄ＝」以下の識別子で示される識別番号に対応する者を、「ｂ＝」以下の識別子で示される使用者における、「ｅ＝」以下の識別子で示される情報名称について、「ｃ＝」以下の識別子で示される識別番号に対応する開示要求者からの開示要求を承認するか否かを判断する許可者として、開示条件データベースＤ３に設定せず、第１サーバーＢ１の通信部Ｂ１ａは、「ｂ＝」以下の識別子で示される使用者の携帯電話番号若しくはメールアドレスに、許可者の設定に失敗した（拒否された）旨を通知する。
【０１４６】
なお、許可者承認依頼メッセージの送信から所定の時間（ｎ分間）経過した時に、許可者承認ボタン（第３ハイパーリンク）のクリックがされなかった場合には、許可者になることを承認されなかったと判断して、第１サーバーＢ１は、許可者拒否ボタン（第４ハイパーリンク）がクリックされた時と同様の動作を実行する形態であってもよい。
【０１４７】
また、情報コンテンツの開示要求は、開示要求ボタンのクリックなど、開示要求者による手動操作によって開始される形態であってもよいが、開示要求者が使用する端末において所定の操作が行われた後に、自動的に開始される形態であってもよい。
【０１４８】
たとえば、開示要求者の識別情報に対応する端末が携帯電話（第１携帯電話：第１１携帯電話２０１〜第１５携帯電話２０５のいずれか）であり、当該開示要求者の携帯電話（第１携帯電話）から使用者の携帯電話（第２携帯電話：第１１携帯電話２０１〜第１５携帯電話２０５のいずれかで第１携帯電話と別のもの）へ発呼を指定した時間内に指定した回数だけ行っても応答が得られない場合に、当該使用者の情報コンテンツ（位置情報）の開示要求が開示要求者の携帯電話（第１携帯電話）から第１サーバーＢ１の通信部Ｂ１ａに送信される形態が考えられる。
第１携帯電話と、第１サーバーＢ１（特定情報送信サーバー）が、特定情報送信システムを構成する。
【０１４９】
この場合、第１サーバーＢ１は、開示要求に関する信号を受信すると、当該開示要求者の識別情報と、当該開示要求者が要求する位置情報に対応する使用者の識別情報とが、開示条件データベースＤ３に設定されているかを確認し、設定されている場合には、第１サーバーＢ１の通信部Ｂ１ａが承認可否通知などを実行する等、開示要求者に位置情報を提供する手順を開始する（図１１のステップＳ３１参照）。
【符号の説明】
【０１５０】
１  位置情報送信システム
１０  無線アクセスネットワーク
３０  コアネットワーク
３１  ゲートウェイ交換機
３３  ＨＬＲ
３６〜３９  第１移動交換機〜第４移動交換機
３６ａ〜３９ａ  第１ＶＬＲ〜第４ＶＬＲ
１０１〜１１２  第１基地局〜第１２基地局
２０１〜２０５  第１１携帯電話〜第１５携帯電話
Ａ  位置情報振り分けサーバー
Ａ１０  記録部
Ａ２０  位置情報振り分けサーバーの通信部
Ａ３０  制御部
Ｂ  位置情報提供サーバー
Ｂ１  第１サーバー（特定情報送信サーバー）
Ｂ１ａ  第１サーバーの通信部
Ｂ２、Ｂ３  第２サーバー、第３サーバー
Ｃ  情報データベースを記録した装置
Ｄ１、Ｄ２  第１位置情報データベース、第２位置情報データベース
Ｄ３  開示条件データベース
Ｄ４  情報データベース
Ｅ  特定の装置（電気ポット）
Ｔ１  第１テーブル（識別情報−送信先サーバー変換テーブル）
Ｔ２  第２テーブル（識別情報−使用者名称変換テーブル）
Ｔ３  第３テーブル（緯度経度−地域名称変換テーブル）
Ｔ４  第４テーブル（識別番号−送信先変換テーブル）
【図１】
2016140047.tif 000003
【図２】
2016140047.tif 000004
【図３】
2016140047.tif 000005
【図４】
2016140047.tif 000006
【図５】
2016140047.tif 000007
【図６】
2016140047.tif 000008
【図７】
2016140047.tif 000009
【図８】
2016140047.tif 000010
【図９】
2016140047.tif 000011
【図１０】
2016140047.tif 000012
【図１１】
2016140047.tif 000013
【図１２】
2016140047.tif 000014
【図１３】
2016140047.tif 000015
【図１４】
2016140047.tif 000016
【図１５】
2016140047.tif 000017
【図１６】
2016140047.tif 000018
【図１７】
2016140047.tif 000019
【図１８】
2016140047.tif 000020
【図１９】
2016140047.tif 000021
【図２０】
2016140047.tif 000022
【図２１】
2016140047.tif 000023
【図２２】
2016140047.tif 000024
【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
被開示要求者の識別情報を示す第１識別情報と、前記第１識別情報に対応する前記被開示要求者の携帯電話の位置情報と、前記位置情報の開示を要求する開示要求者の識別情報を示す第２識別情報と、前記位置情報を開示することを承認する許可者の識別情報を示す第３識別情報の関係を示す開示条件データベースと、
前記第２識別情報でログインした端末から、若しくは前記第２識別情報に対応する端末から前記位置情報の開示の要求を受ける通信部とを備えた特定情報送信サーバーであって、
前記第１識別情報と前記第２識別情報と前記第３識別情報は、互いに別の者の識別情報であり、
前記通信部は、前記要求を受けた場合に、前記開示条件データベースに基づいて、前記第３識別情報に対応する携帯電話番号若しくはメールアドレス若しくはアカウントに承認依頼メッセージを送信するものであり、
前記承認依頼メッセージの送信から所定の時間が経過するまでの間に、前記通信部が前記要求を承諾する旨の信号を受信した場合に、前記通信部が前記第１識別情報に対応した前記位置情報であって、前記通信部が前記要求を承諾する旨の信号を受信する前に前記特定情報送信サーバー若しくは前記特定情報送信サーバーと通信可能な装置に更新可能な状態で記録されたものを、前記第２識別情報に対応する携帯電話番号若しくはメールアドレス若しくはアカウントに送信することを特徴とする特定情報送信サーバー。
【請求項２】
前記通信部は、前記開示条件データベースに記録された前記位置情報の中で、前記第２識別情報でログインした端末で、若しくは前記第２識別情報に対応する端末で、前記要求を行うことが出来るもののリストを、前記第２識別情報でログインした端末に、若しくは前記第２識別情報に対応する端末に表示させるための信号を送信することを特徴とする請求項１に記載の特定情報送信サーバー。
【請求項３】
識別情報の入力を促すログインメニューを表示させる所定のＵＲＬにアクセスし、前記第２識別情報でログインした端末が、前記第２識別情報でログインした端末として用いられ、
情報端末に含まれるＳＩＭカード、若しくは情報端末本体に固有の情報と、前記第２識別情報との対応関係が予め登録され、前記固有の情報を有するＳＩＭカードを含む情報端末若しくは前記固有の情報を有する情報端末が、前記第２識別情報に対応する端末として用いられることを特徴とする請求項２に記載の特定情報送信サーバー。
【請求項４】
前記承認依頼メッセージは、クリックすることにより前記通信部に前記要求を承諾する旨の信号を送信する第１ハイパーリンクと、クリックすることにより前記通信部に前記要求を拒否する旨の信号を送信する第２ハイパーリンクの少なくとも一方を含むことを特徴とする請求項１に記載の特定情報送信サーバー。
【請求項５】
前記位置情報は、前記携帯電話の識別情報と一緒に、基地局、交換機、ＶＬＲ若しくはＨＬＲから前記特定情報送信サーバーに送られてくるものであり、
前記携帯電話の使用者の識別情報でログインした端末で、若しくは、前記使用者の識別番号に対応する端末で、前記開示条件データベースにおける前記第２識別情報と前記第３識別情報とが設定されることを特徴とする請求項１に記載の特定情報送信サーバー。
【請求項６】
第１携帯電話と、
被開示要求者の識別情報を示す第１識別情報と、前記第１識別情報に対応する第２携帯電話の位置情報と、前記第２携帯電話の位置情報の開示を要求する開示要求者の識別情報を示す第２識別情報と、前記第２携帯電話の位置情報を開示することを承認する許可者の識別情報を示す第３識別情報の関係を示す開示条件データベースと、前記第２識別情報に対応する前記第１携帯電話から前記第２携帯電話の位置情報の開示の要求を受ける通信部とを有する位置情報送信サーバーとを備え、
前記第１識別情報と前記第２識別情報と前記第３識別情報は、互いに別の者の識別情報であり、
前記第１携帯電話から、前記第２携帯電話へ、指定した時間内に指定した回数だけ発呼を行っても応答が得られない場合に、前記第１携帯電話は、前記通信部へ前記位置情報の開示の要求を発信するものであり、
前記通信部は、前記第１携帯電話から前記要求を受けた場合に、前記開示条件データベースに基づいて、前記第３識別情報に対応する携帯電話番号若しくはメールアドレス若しくはアカウントに承認依頼メッセージを送信するものであり、
前記承認依頼メッセージの送信から所定の時間が経過するまでの間に、前記通信部が前記要求を承諾する旨の信号を受信した場合に、前記通信部が前記第１識別情報に対応した前記第２携帯電話の位置情報であって、前記通信部が前記要求を承諾する旨の信号を受信する前に前記位置情報送信サーバー若しくは前記位置情報送信サーバーと通信可能な装置に更新可能な状態で記録されたものを、前記第２識別情報に対応する携帯電話番号若しくはメールアドレス若しくはアカウントに送信することを特徴とする位置情報送信システム。
【請求項７】
被開示要求者の識別情報を示す第１識別情報と、前記第１識別情報に対応する前記被開示要求者の携帯電話の位置情報と、前記位置情報の開示を要求する開示要求者の識別情報を示す第２識別情報と、前記位置情報を開示することを承認する許可者であって前記被開示要求者と別の者の識別情報を示す第３識別情報の関係を示す開示条件データベースと、
前記第２識別情報でログインした端末から、若しくは前記第２識別情報に対応する端末から前記位置情報の開示の要求を受ける通信部とを備えた特定情報送信サーバーであって、
前記第１識別情報と前記第２識別情報と前記第３識別情報は、互いに別の者の識別情報であり、
前記通信部は、前記要求を受けた場合に、前記開示条件データベースに基づいて、前記第３識別情報に対応する携帯電話番号にＳＭＳで承認依頼メッセージを送信するものであり、
前記承認依頼メッセージの送信から所定の時間が経過するまでの間に、前記通信部が前記要求を承諾する旨の返信を受信した場合に、前記通信部が前記第１識別情報に対応した前記位置情報であって、前記通信部が前記要求を承諾する旨の返信を受信する前に前記特定情報送信サーバー若しくは前記特定情報送信サーバーと通信可能な装置に更新可能な状態で記録されたものを、前記第２識別情報に対応する携帯電話番号若しくはメールアドレス若しくはアカウントに送信することを特徴とする特定情報送信サーバー。
【請求項８】
前記承認依頼メッセージは、「承認する旨の返信」か「承認しない旨の返信」を促すメッセージを含むものであり、
前記特定情報送信サーバーは、前記承認依頼メッセージに対する返信メッセージを読み取り、前記返信メッセージが前記「承認する旨の返信」であると判断した場合に、前記通信部が前記第１識別情報に対応した前記位置情報であって、前記通信部が前記要求を承諾する旨の返信を受信する前に前記特定情報送信サーバー若しくは前記特定情報送信サーバーと通信可能な装置に更新可能な状態で記録されたものを、前記第２識別情報に対応する携帯電話番号若しくはメールアドレス若しくはアカウントに送信するものであり、
前記承認依頼メッセージの送信が行われた時は、前記承認依頼メッセージに対する前記返信メッセージを受信するまでは、前記承認依頼メッセージの送信先と同じ携帯電話番号に対して、別の承認依頼メッセージの送信を行わないことを特徴とする請求項７に記載の特定情報送信サーバー。
【請求項９】
被開示要求者の識別情報を示す第１識別情報と、前記第１識別情報に対応する前記被開示要求者の携帯電話の位置情報と、前記位置情報の開示を要求する開示要求者の識別情報を示す第２識別情報と、前記位置情報を開示することを承認する許可者であって前記被開示要求者と別の者の識別情報を示す第３識別情報の関係を示す開示条件データベースと、
前記第２識別情報でログインした端末から、若しくは前記第２識別情報に対応する端末から前記位置情報の開示の要求を受ける通信部とを備えた特定情報送信サーバーであって、
前記第１識別情報と前記第２識別情報と前記第３識別情報は、互いに別の者の識別情報であり、
前記通信部は、前記要求を受けた場合に、前記開示条件データベースに基づいて、前記第３識別情報に対応する携帯電話番号にＳＭＳで「承認しない旨の返信」を促すメッセージを含む承認依頼メッセージを送信するものであり、
前記承認依頼メッセージの送信から所定の時間が経過するまでの間に、前記通信部が前記承認依頼メッセージに対する返信を受信し、前記特定情報送信サーバーは、前記承認依頼メッセージに対する返信メッセージを読み取り、前記返信メッセージが前記「承認しない旨の返信」であると判断した場合に、前記通信部が前記位置情報を開示しない旨を、前記第２識別情報に対応する携帯電話番号若しくはメールアドレス若しくはアカウントに送信し、
前記承認依頼メッセージの送信から所定の時間が経過するまでの間に、前記通信部が前記返信を受信しなかった場合に、前記通信部が前記第１識別情報に対応した前記位置情報であって、前記承認依頼メッセージの送信から前記所定の時間が経過する前に前記特定情報送信サーバー若しくは前記特定情報送信サーバーと通信可能な装置に更新可能な状態で記録されたものを、前記第２識別情報に対応する携帯電話番号若しくはメールアドレス若しくはアカウントに送信することを特徴とする特定情報送信サーバー。
【請求項１０】
被開示要求者の識別情報を示す第１識別情報と、前記第１識別情報に対応する前記被開示要求者の携帯電話の位置情報と、前記位置情報の開示を要求する開示要求者の識別情報を示す第２識別情報と、特定の装置の識別情報を示す第３識別情報の関係を示す開示条件データベースと、
前記特定の装置と通信可能であり、前記第２識別情報でログインした端末から、若しくは前記第２識別情報に対応する端末から前記位置情報の開示の要求を受ける通信部とを備えた特定情報送信サーバーであって、
前記第１識別情報と前記第２識別情報と前記第３識別情報は、互いに別の識別情報であり、
前記通信部は、前記要求を受けた場合に、前記開示条件データベースに基づいて、前記第３識別情報に対応する前記特定の装置にアクセスし、
前記特定の装置へアクセスして得られた情報に基づいて、前記通信部が前記位置情報であって、前記特定の装置へアクセスする前に前記特定情報送信サーバー若しくは前記特定情報送信サーバーと通信可能な装置に更新可能な状態で記録されたものを、前記第２識別情報に対応する携帯電話番号若しくはメールアドレス若しくはアカウントに送信するか否かを判断することを特徴とする特定情報送信サーバー。
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
被開示要求者の識別情報を示す第１識別情報と、前記第１識別情報に対応する前記被開示要求者の携帯電話の位置情報と、前記位置情報の開示を要求する開示要求者の識別情報を示す第２識別情報と、前記位置情報を開示することを承認する許可者の識別情報を示す第３識別情報の関係を示す開示条件データベースと、
前記第２識別情報でログインした端末から、若しくは前記第２識別情報に対応する端末から前記位置情報の開示の要求を受ける通信部とを備えた特定情報送信サーバーであって、
前記第１識別情報と前記第２識別情報と前記第３識別情報は、互いに別の者の識別情報であり、
前記通信部は、前記開示要求者の操作に基づき前記第２識別情報でログインした端末から前記要求を受けた場合に、前記開示条件データベースに基づいて、前記第３識別情報に対応する携帯電話番号若しくはメールアドレス若しくはアカウントに承認依頼メッセージを送信するものであり、
前記承認依頼メッセージの送信から所定の時間が経過するまでの間に、前記許可者の操作に基づき前記承認依頼メッセージを受信した端末から前記通信部が前記要求を承諾する旨の信号を受信した場合に、前記通信部が前記第１識別情報に対応した前記位置情報であって、前記通信部が前記要求を承諾する旨の信号を受信する前に前記特定情報送信サーバー若しくは前記特定情報送信サーバーと通信可能な装置に更新可能な状態で記録されたものを、前記第２識別情報に対応する携帯電話番号若しくはメールアドレス若しくはアカウントに送信することを特徴とする特定情報送信サーバー。
【請求項２】
前記通信部は、前記開示条件データベースに記録された前記位置情報の中で、前記第２識別情報でログインした端末で、若しくは前記第２識別情報に対応する端末で、前記要求を行うことが出来るもののリストを、前記第２識別情報でログインした端末に、若しくは前記第２識別情報に対応する端末に表示させるための信号を送信することを特徴とする請求項１に記載の特定情報送信サーバー。
【請求項３】
識別情報の入力を促すログインメニューを表示させる所定のＵＲＬにアクセスし、前記第２識別情報でログインした端末が、前記第２識別情報でログインした端末として用いられ、
情報端末に含まれるＳＩＭカードのＩＣＣＩＤと、前記第２識別情報との対応関係が予め登録され、前記ＩＣＣＩＤを有するＳＩＭカードを含む情報端末が、前記第２識別情報に対応する端末として用いられることを特徴とする請求項２に記載の特定情報送信サーバー。
【請求項４】
前記承認依頼メッセージは、クリックすることにより前記通信部に前記要求を承諾する旨の信号を送信する第１ハイパーリンクと、クリックすることにより前記通信部に前記要求を拒否する旨の信号を送信する第２ハイパーリンクの少なくとも一方を含むものであり、
前記許可者として、第１許可者と前記第１許可者とは別の第２許可者とが設定され、
前記通信部は、前記開示要求者の操作に基づき前記第２識別情報でログインした端末から前記要求を受けた場合に、前記開示条件データベースに基づいて、前記第１許可者の第３識別情報に対応する携帯電話番号若しくはメールアドレス若しくはアカウントに第１承認依頼メッセージを送信し、前記第２許可者の第３識別情報に対応する携帯電話番号若しくはメールアドレス若しくはアカウントに第２承認依頼メッセージを送信するものであり、
前記承認依頼メッセージの送信から所定の時間が経過するまでの間に、前記第１許可者の操作に基づき前記第１承認依頼メッセージを受信した端末から前記通信部が前記要求を承諾する旨の信号を受信し、前記第２許可者の操作に基づき前記第２承認依頼メッセージを受信した端末から前記通信部が前記要求を承諾する旨の信号を受信した場合に、前記通信部が前記第１識別情報に対応した前記位置情報であって、前記通信部が前記第１承認依頼メッセージを受信した端末と前記第２承認依頼メッセージを受信した端末から前記要求を承諾する旨の信号を受信する前に前記特定情報送信サーバー若しくは前記特定情報送信サーバーと通信可能な装置に更新可能な状態で記録されたものを、前記第２識別情報に対応する携帯電話番号若しくはメールアドレス若しくはアカウントに送信することを特徴とする請求項１に記載の特定情報送信サーバー。
【請求項５】
前記位置情報は、前記携帯電話の識別情報と一緒に、基地局、交換機、ＶＬＲ若しくはＨＬＲから前記特定情報送信サーバーに送られてくるものであり、
前記携帯電話の使用者の識別情報でログインした端末で、若しくは、前記使用者の識別番号に対応する端末で、前記開示条件データベースにおける前記第２識別情報と前記第３識別情報とが設定されることを特徴とする請求項１に記載の特定情報送信サーバー。
【請求項６】
第１携帯電話と、
被開示要求者の識別情報を示す第１識別情報と、前記第１識別情報に対応する第２携帯電話の位置情報と、前記第２携帯電話の位置情報の開示を要求する開示要求者の識別情報を示す第２識別情報と、前記第２携帯電話の位置情報を開示することを承認する許可者の識別情報を示す第３識別情報の関係を示す開示条件データベースと、前記第２識別情報に対応する前記第１携帯電話から前記第２携帯電話の位置情報の開示の要求を受ける通信部とを有する位置情報送信サーバーとを備え、
前記第１識別情報と前記第２識別情報と前記第３識別情報は、互いに別の者の識別情報であり、
前記第１携帯電話から、前記第２携帯電話へ、指定した時間内に指定した回数だけ発呼を行っても応答が得られない場合に、前記第１携帯電話は、前記通信部へ前記位置情報の開示の要求を発信するものであり、
前記通信部は、前記開示要求者の操作に基づき前記第１携帯電話から前記要求を受けた場合に、前記開示条件データベースに基づいて、前記第３識別情報に対応する携帯電話番号若しくはメールアドレス若しくはアカウントに承認依頼メッセージを送信するものであり、
前記承認依頼メッセージの送信から所定の時間が経過するまでの間に、前記許可者の操作に基づき前記承認依頼メッセージを受信した端末から前記通信部が前記要求を承諾する旨の信号を受信した場合に、前記通信部が前記第１識別情報に対応した前記第２携帯電話の位置情報であって、前記通信部が前記要求を承諾する旨の信号を受信する前に前記位置情報送信サーバー若しくは前記位置情報送信サーバーと通信可能な装置に更新可能な状態で記録されたものを、前記第２識別情報に対応する携帯電話番号若しくはメールアドレス若しくはアカウントに送信することを特徴とする位置情報送信システム。
【請求項７】
被開示要求者の識別情報を示す第１識別情報と、前記第１識別情報に対応する前記被開示要求者の携帯電話の位置情報と、前記位置情報の開示を要求する開示要求者の識別情報を示す第２識別情報と、前記位置情報を開示することを承認する許可者であって前記被開示要求者と別の者の識別情報を示す第３識別情報の関係を示す開示条件データベースと、
前記第２識別情報でログインした端末から、若しくは前記第２識別情報に対応する端末から前記位置情報の開示の要求を受ける通信部とを備えた特定情報送信サーバーであって、
前記第１識別情報と前記第２識別情報と前記第３識別情報は、互いに別の者の識別情報であり、
前記通信部は、前記開示要求者の操作に基づき前記第２識別情報でログインした端末から前記要求を受けた場合に、前記開示条件データベースに基づいて、前記第３識別情報に対応する携帯電話番号にＳＭＳで承認依頼メッセージを送信するものであり、
前記承認依頼メッセージの送信から所定の時間が経過するまでの間に、前記許可者の操作に基づき前記承認依頼メッセージを受信した端末から前記通信部が前記要求を承諾する旨の返信を受信した場合に、前記通信部が前記第１識別情報に対応した前記位置情報であって、前記通信部が前記要求を承諾する旨の返信を受信する前に前記特定情報送信サーバー若しくは前記特定情報送信サーバーと通信可能な装置に更新可能な状態で記録されたものを、前記第２識別情報に対応する携帯電話番号若しくはメールアドレス若しくはアカウントに送信することを特徴とする特定情報送信サーバー。
【請求項８】
前記承認依頼メッセージは、「承認する旨の返信」か「承認しない旨の返信」を促すメッセージを含むものであり、
前記特定情報送信サーバーは、前記承認依頼メッセージに対する返信メッセージを読み取り、前記返信メッセージが前記「承認する旨の返信」であると判断した場合に、前記通信部が前記第１識別情報に対応した前記位置情報であって、前記通信部が前記要求を承諾する旨の返信を受信する前に前記特定情報送信サーバー若しくは前記特定情報送信サーバーと通信可能な装置に更新可能な状態で記録されたものを、前記第２識別情報に対応する携帯電話番号若しくはメールアドレス若しくはアカウントに送信するものであり、
前記承認依頼メッセージの送信が行われた時は、前記承認依頼メッセージに対する前記返信メッセージを受信するまでは、前記承認依頼メッセージの送信先と同じ携帯電話番号に対して、別の承認依頼メッセージの送信を行わないことを特徴とする請求項７に記載の特定情報送信サーバー。
【請求項９】
被開示要求者の識別情報を示す第１識別情報と、前記第１識別情報に対応する前記被開示要求者の携帯電話の位置情報と、前記位置情報の開示を要求する開示要求者の識別情報を示す第２識別情報と、前記位置情報を開示することを承認する許可者であって前記被開示要求者と別の者の識別情報を示す第３識別情報の関係を示す開示条件データベースと、
前記第２識別情報でログインした端末から、若しくは前記第２識別情報に対応する端末から前記位置情報の開示の要求を受ける通信部とを備えた特定情報送信サーバーであって、
前記第１識別情報と前記第２識別情報と前記第３識別情報は、互いに別の者の識別情報であり、
前記通信部は、前記開示要求者の操作に基づき前記第２識別情報でログインした端末から前記要求を受けた場合に、前記開示条件データベースに基づいて、前記第３識別情報に対応する携帯電話番号にＳＭＳで「承認しない旨の返信」を促すメッセージを含む承認依頼メッセージを送信するものであり、
前記承認依頼メッセージの送信から所定の時間が経過するまでの間に、前記許可者の操作に基づき前記承認依頼メッセージを受信した端末から前記通信部が前記承認依頼メッセージに対する返信を受信し、前記特定情報送信サーバーは、前記承認依頼メッセージに対する返信メッセージを読み取り、前記返信メッセージが前記「承認しない旨の返信」であると判断した場合に、前記通信部が前記位置情報を開示しない旨を、前記第２識別情報に対応する携帯電話番号若しくはメールアドレス若しくはアカウントに送信し、
前記承認依頼メッセージの送信から所定の時間が経過するまでの間に、前記通信部が前記返信を受信しなかった場合に、前記通信部が前記第１識別情報に対応した前記位置情報であって、前記承認依頼メッセージの送信から前記所定の時間が経過する前に前記特定情報送信サーバー若しくは前記特定情報送信サーバーと通信可能な装置に更新可能な状態で記録されたものを、前記第２識別情報に対応する携帯電話番号若しくはメールアドレス若しくはアカウントに送信することを特徴とする特定情報送信サーバー。
【請求項１０】
被開示要求者の識別情報を示す第１識別情報と、前記第１識別情報に対応する前記被開示要求者の携帯電話の位置情報と、前記位置情報の開示を要求する開示要求者の識別情報を示す第２識別情報と、特定の装置の識別情報を示す第３識別情報の関係を示す開示条件データベースと、
前記特定の装置と通信可能であり、前記第２識別情報でログインした端末から、若しくは前記第２識別情報に対応する端末から前記位置情報の開示の要求を受ける通信部とを備えた特定情報送信サーバーであって、
前記第１識別情報と前記第２識別情報と前記第３識別情報は、互いに別の識別情報であり、
前記通信部は、前記開示要求者の操作に基づき前記第２識別情報でログインした端末から前記要求を受けた場合に、前記開示条件データベースに基づいて、前記第３識別情報に対応する前記特定の装置にアクセスし、
前記特定の装置へアクセスして得られた情報に基づいて、前記通信部が前記位置情報であって、前記特定の装置へアクセスする前に前記特定情報送信サーバー若しくは前記特定情報送信サーバーと通信可能な装置に更新可能な状態で記録されたものを、前記第２識別情報に対応する携帯電話番号若しくはメールアドレス若しくはアカウントに送信するか否かを判断することを特徴とする特定情報送信サーバー。
【国際調査報告】
2016140047.tif 000025
2016140047.tif 000026
2016140047.tif 000027
2016140047.tif 000028